(57)【要約】【課題】利用者のプライバシーに配慮しながら、快適度を正確に把握する。【解決手段】空調制御装置１は、環境データ取得部１４と、生体データ取得部１３と、空調制御部１６を備える。環境データ取得部１４は、施設Ｆ内に設置した温湿度センサ９から、施設Ｆの環境に関する計測データである環境データを取得する。生体データ取得部１３は、施設Ｆの利用者の身体に装着した装着型端末４から、当該利用者の生体反応に関する計測データである生体データを取得する。空調制御部１６は、環境データと生体データに基づいて、施設Ｆに設置された空調機ユニット２ａ〜２ｄを制御する。【選択図】図３
2016217583.tif 000002
【特許請求の範囲】
【請求項１】
施設内に設置したセンサから、当該施設の環境に関する計測データを取得する環境データ取得部と、
施設の利用者の身体に装着した端末装置から、当該利用者の生体反応に関する計測データを取得する生体データ取得部と、
前記環境データ取得部から取得した前記施設の環境に関する計測データと、前記生体データ取得部から取得した前記利用者の生体反応に関する計測データとに基づいて、前記施設に設置された空調機ユニットを制御する空調制御部と、
を備えることを特徴とする空調制御装置。
【請求項２】
前記空調制御部は、前記施設の環境に関する計測データと前記生利用者の生体反応に関する計測データとから導き出される快適指数値に基づいて、前記空調機ユニットの制御パラメータを決定することを特徴とする請求項１記載の空調制御装置。
【請求項３】
前記生体データ取得部は、前記端末装置から前記利用者の体温及び発汗量を示すデータを取得し、
前記空調制御部は、前記利用者の体温及び発汗量を示すデータに基づいて前記快適指数値を決定することを特徴とする請求項２記載の空調制御装置。
【請求項４】
前記空調制御部は、前記利用者の体温及び発汗量から導き出される代謝量に基づいて前記快適指数値を決定することを特徴とする請求項３記載の空調制御装置。
【請求項５】
前記生体データ取得部は、複数の端末装置から、それぞれの端末装置を装着した複数の利用者の生体反応に関する計測データを取得し、
前記空調制御部は、前記複数の利用者の生体反応に関する計測データの平均値、平均値、中央値、分散値又は最頻値に基づいて前記快適指数値を決定することを特徴とする請求項２〜４のいずれか一項に記載の空調制御装置。
【請求項６】
前記生体データ取得部は、複数の端末装置から、それぞれの端末装置を装着した複数の利用者の生体反応に関する計測データを取得し、
前記空調制御部は、前記複数の利用者の生体反応に関する計測データのうち、前記複数の利用者の総数に対して一定の割合を占める範囲のデータを用いて前記快適指数値を決定することを特徴とする請求項２〜４のいずれか一項に記載の空調制御装置。
【請求項７】
前記端末装置には識別子が付与され、
前記利用者の生体反応に関する計測データには、当該利用者が装着した端末装置の識別子が含まれ、
前記施設は複数のエリアを備え、各エリアの入口には、前記端末装置の識別子を認識して利用者の各エリアへの入退出を管理する入退出管理装置が設けられており、
前記入退出管理装置から、各端末装置の識別子と当該端末装置の所在エリア情報を含むデータを取得する識別子データ取得部を更に備え、
前記空調制御部は、前記利用者の生体反応に関する計測データに含まれる端末装置の識別子と、前記識別子データに含まれる端末装置の識別子とを照合して、エリアごとに前記利用者の快適指数値を決定することを特徴とする請求項１〜６のいずれか一項に記載の空調制御装置。
【請求項８】
前記端末装置には識別子が付与され、
前記施設は複数のエリアを備え、各エリアの入口には、前記端末装置の識別子を認識して利用者の各エリアへの入退出を管理する入退出管理装置が設けられており、
前記利用者の生体反応に関する計測データには、当該利用者が装着した端末装置の識別子と当該端末装置の所在エリア情報が含まれ、
前記入退出管理装置から、各端末装置の識別子と当該端末装置の所在エリア情報を含むデータを取得する識別子データ取得部を更に備え、
前記空調制御部は、前記利用者の生体反応に関する計測データに含まれる各端末装置の識別子と当該端末装置の所在エリア情報に基づいて、エリアごとに前記利用者の快適指数値を決定することを特徴とする請求項１〜６のいずれか一項に記載の空調制御装置。
【発明の詳細な説明】
【技術分野】
【０００１】
本発明の実施形態は、オフィスビル、工場、展示会場等の施設内に設置された空調制御装置に関する。
【背景技術】
【０００２】
空調制御装置は、オフィスビル、工場、展示会場等の施設内に設置された複数の空調機ユニットを統括的に制御する。空調制御装置は、施設内に居る利用者の快適性とエネルギー効率のバランスが保たれるように、各空調機ユニットの温度、湿度又は風量等の制御パラメータを決定する。例えば、空調制御装置は、施設内に設置された温湿度センサ等のセンサから施設内の環境に関するデータを取得し、その環境下において快適又は不快と感じる人の割合を統計的あるいは経験的に定めた指標を用いて、制御パラメータを算出する。
【０００３】
ところが、実際には、同じ環境下であっても、施設内に居る利用者の体質や活動状況の違いによって快適に感じることもあれば不快に感じることもある。例えば、同じ温度でも、活発に動いている人や暑がりの人は暑いと感じ、長時間座っている人や冷え性の人は寒いと感じることがある。そのため、施設内の環境データのみから制御パラメータを算出しても、利用者の快適性を保つ空調制御ができない場合がある。
【先行技術文献】
【特許文献】
【０００４】
【特許文献１】特許第５０８５６７０号公報
【発明の概要】
【発明が解決しようとする課題】
【０００５】
例えば、施設内にカメラを設置してカメラで撮像された映像から施設内の利用者の活動状態を把握して、活動状況に合わせた空調制御を行うことも考えられている。しかしながら、映像から得られる情報は、あくまで利用者の外観的な活動状況であるため、利用者が実際にどのような活動状況にあるのか、また置かれている環境に対してどのような反応を示しているのかを把握することは難しい。さらに、施設内にカメラを設置する場合には、施設内の利用者に「監視されている」というプライバシー上の不安を与える恐れがある。
【０００６】
本実施形態は、上述のような問題を鑑みてなされたものであり、利用者の環境に対する快適性の把握をより確実に行うことで、快適性を向上させた空調制御装置を提供することを目的とする。
【課題を解決するための手段】
【０００７】
本実施形態の空調制御装置は、施設内に設置したセンサから、当該施設の環境に関する計測データを取得する環境データ取得部と、施設の利用者の身体に装着した端末装置から、当該利用者の生体反応に関する計測データを取得する生体データ取得部と、前記環境データ取得部から取得した前記施設の環境に関する計測データと、前記生体データ取得部から取得した前記利用者の生体反応に関する計測データとに基づいて、前記施設に設置された空調機ユニットを制御する空調制御部と、を備える。
【図面の簡単な説明】
【０００８】
【図１】実施形態に係る空調制御装置が導入された施設の構成例を示す図である。
【図２】空調制御装置、装着型端末及び入退出管理装置の構成を示すブロック図である。
【図３】空調制御装置の構成を示すブロック図である。
【図４】装着型端末の外観構成を示す図である。
【図５】装着型端末に付与されたＩＤリストの一例を示す図である。
【図６】生体データ取得部において収集された計測時間毎の生体データの一例を示す図である。
【図７】環境データ取得部において収集された計測時間毎の環境データの一例を示す図である。
【図８】空調制御部の構成を示すブロック図である。
【図９】代謝量の分布を示す図である。
【発明を実施するための形態】
【０００９】
以下、本実施形態に係る空調制御装置について、図面を参照して説明する。
【００１０】
図１は、一例として、実施形態に係る空調制御装置が導入されたオフィス又は工場等の施設Ｆの平面図を示している。この施設Ｆは、壁によって区切られた複数のエリアＡ〜Ｄを備えている。各エリアＡ〜Ｄにはそれぞれ空調機ユニット２ａ〜２ｄが設置されており、空調制御装置はこれらの空調機ユニット２ａ〜２ｄを統括的に制御する。空調機ユニット２ａ〜２ｄは、エアコンディショナー等の冷暖房装置であっても良く、あるいは冷暖房装置と加湿器、空気清浄器等の装置を組み合わせたものとしても良い。
【００１１】
図２に示すように、空調制御装置１は、プロセッサ１０、メモリ１１及び送受信機１２を備え、メモリ１１に記憶されたプログラムを実行することにより、図３及び図８に示した構成を実現する。
【００１２】
施設Ｆ内には、施設Ｆ内の環境に関するデータ（以降、単に「環境データ」という）を計測するセンサが設置されている。環境データとしては、温度、湿度、風量、明度、臭気等様々なものがあるが、ここでは、温度及び湿度を計測するセンサ（以降、「温湿度センサ」という）９を設置した例を示す。温湿度センサ９は通信機能を備えており、空調制御装置１は、送受信機１２を介して、温湿度センサ９から施設Ｆ内の環境データである温度及び湿度を取得する。
【００１３】
空調制御装置１はまた、後述する入退出管理装置３及び装着型端末４とも通信を行い、これらの装置から取得したデータを用いて空調制御ユニットの制御パラメータを算出する。算出した制御パラメータは、送受信機１２を介して空調機ユニット２ａ〜２ｄに送信される。空調機ユニット２ａ〜２ｄは、この制御パラメータに基づいて、設定温度、設定風量及び設定湿度等を調整して、各エリアＡ〜Ｄの空調を行う。空調制御装置１の各部の詳細については後で詳述する。
【００１４】
各エリアＡ〜Ｄの入口にはドアが設置されている。ドアは電気錠により施錠及び開錠される。利用者はこのドアを介して各エリアＡ〜Ｄに入場及び退出する。電気錠の施錠及び開錠は、入退出管理装置３によって制御されている。入退出管理装置３は、利用者に対して施設Ｆ入場時に付与した識別子（ＩＤ）を各エリアＡ〜Ｄの入口で照合し、照合結果に応じて各エリアＡ〜Ｄに設置された電気錠の施錠及び開錠を切り換えることで、利用者の各エリアＡ〜Ｄへの入場及び退出を管理する。ＩＤを利用者に付与する方法としては、例えばＩＤを記憶した磁気カードを貸与する等の様々な方法があるが、ここでは、図２に示すように、ＩＤを記憶した端末装置を利用者に身体に装着させる場合、すなわち装着型端末４を用いる場合を説明する。
【００１５】
施設Ｆの入口付近には受付Ｒが設けられている。利用者は、受付Ｒで装着型端末４を受け取る。本実施形態では、装着型端末４の一例として、図４に示すように、腕時計型のものを用いる。すなわち、装着型端末４は、人体の手首に収まるサイズの小型の端末であり、手首に取り付けるためのリストバンド５が取り付けられている。利用者は受付Ｒで受け取った装着型端末４を手首に装着して、施設Ｆ内を通行する。施設Ｆから離れる際には、装着型端末４を受付Ｒに返却する。
【００１６】
図２に示すように、装着型端末４は、プロセッサ４１、アンテナを含む送受信機４２、メモリ４３及び利用者の生体データを取得するためのセンサ４４，４５を備えている。これらのセンサは、利用者の手首の皮膚に直接接触するように、例えば端末の裏面やリストバンド５の裏側に取り付けても良い。また、装着型端末４は、利用者に対しての案内を表示する表示部や、案内音声を出力する音声出力部を備えていても良い。
【００１７】
メモリ４３には、各装着型端末４に固有のＩＤが記憶されている。プロセッサ４１はメモリ４３に記憶されているプログラムに従って、送受信機４２を介してＩＤを入退出管理装置３に送信する。
【００１８】
図２に示すように、入退出管理装置３は、全ての装着型端末４のＩＤを管理するＩＤ管理部３１と、各エリアＡ〜Ｄの電気錠を制御する電気錠制御部３２とから構成されている。ＩＤ管理部３１は、プロセッサ３３、アンテナを含む送受信機３４及びメモリ３５を備えている。メモリ３５には、図５に示すように、各装着型端末４に対して付与されたＩＤのリスト（以下、単位「ＩＤリストＬＩ」という）ＬＩが記憶されている。利用者によって入場可能なエリアＡ〜Ｄを制限する場合は、ＩＤと紐付けて通行可能なエリアＡ〜Ｄ名を記憶させても良い。また、ＩＤには装着型端末４がどのエリアＡ〜Ｄに所在しているかを示す所在エリア情報も紐付けられている。この所在エリア情報は、各エリアＡ〜Ｄを入退出する際に装着型端末４が入退出管理装置３と通信を行うことによって記録される。
【００１９】
図２に示すように、電気錠制御部３２は、プロセッサ３６、アンテナを含む送受信機３７、メモリ３８及び電気錠ドライブ回路３９を備えている。メモリ３８には電気錠が設置されているエリア名Ａ〜Ｄが記憶されている。プロセッサ３６はメモリ３８に記憶されているプログラムに従って、定期的にＩＤ送信要求信号を生成して送受信機３７から発信している。ＩＤ送信要求信号は、電気錠制御部３２に接近した送受信機３７にのみ信号が受信されるように電波が調整されている。
【００２０】
利用者が各エリアＡ〜Ｄに出入りする際には、ドアに設置された電気錠制御部３２に装着型端末４を近づける。装着型端末４の送受信機４２は、電気錠制御部３２が発信するＩＤ送信要求信号を受信する。ＩＤ送信要求信号を受信した装着型端末４は、メモリ４３からＩＤを読み出して電気錠制御部３２に送信する。
【００２１】
電気錠制御部３２のプロセッサ３６は、電気錠制御部３２から受信したＩＤをＩＤ管理部３１に送信する。その際、メモリ３８に格納されているエリア名Ａ〜ＤをＩＤに付して送信する。ＩＤ管理部３１のプロセッサ３３は、メモリ３５に記憶されているプログラムに従って、受信したＩＤがメモリ３５に格納された装着型端末４のＩＤリストＬＩに存在するかを照合する。利用者によって入場可能なエリアＡ〜Ｄを制限する場合には、ＩＤと共に送信されたエリア名が、そのＩＤが入場を許可されているエリア名であるか否かを照合する。
【００２２】
ＩＤ管理部３１のプロセッサ３３は、照合結果を電気錠制御部３２に送信する。照合結果においてＩＤがＩＤリストＬＩに存在し、かつ入場しようとするエリアＡ〜Ｄへの入場を許可されている場合には、電気錠制御部３２のプロセッサ３６は電気錠ドライブ回路３９を駆動させて電気錠を開錠する。さらに、電気錠制御部３２のプロセッサ３６は開錠通知をＩＤ管理部３１に送信する。開錠通知には装着型端末４のＩＤとエリア名Ａ〜Ｄが含まれる。ＩＤ管理部３１のプロセッサ３３は、開錠通知に基づいてＩＤリストＬＩを更新する。すなわち、開錠通知に含まれていたＩＤの所在エリア情報として、開錠通知に含まれているエリア名Ａ〜Ｄを書き込む。これによって、入退出管理装置３は利用者がどのエリアＡ〜Ｄに所在するのかを管理する。各装着型端末４のＩＤ及び所在エリア情報は、送受信機４２を介して空調制御装置１にも送信される。送信のタイミングは、例えば、ＩＤリストＬＩの更新が行われたときとしても良い。
【００２３】
退出する際にも、入場と同様に装着型端末４を用いてＩＤ照合を行う。ただし、退場の際には、ＩＤ管理部３１は、開錠通知に含まれていたエリア名Ａ〜Ｄを、ＩＤリストＬＩの所在エリア情報から削除する。
【００２４】
このように、装着型端末４は入退出許可証の機能を果たすものであるが、上述したように利用者の生体データを取得するためのセンサを備え、利用者の生体データを計測する機能も備えている。生体データとは、利用者の生体反応を示すデータであり、空調機ユニット２ａ〜２ｄの制御パラメータを決定するための快適指数値の算出に用いるデータである。生体データとして、例えば、体温、発汗量、脈拍、血圧、歩数等があるが、本実施形態では体温及び発汗量を生体データとして用いる。そのため、装着型端末４は、装着された手首から利用者の体温を計測する体温センサ４４と、発汗量を測定する発汗量センサ４５を備えている。プロセッサ４１は、これらのセンサに利用者の体温及び発汗量を定期的に計測させる。計測は、全ての装着型端末４で概ね同じタイミングとなるようにプログラミングすると良い。装着型端末４のプロセッサ４１は、体温センサ４４及び発汗量センサ４５で計測されたデータを、生体データとして送受信機４２を介して空調制御装置１に送信する。生体データは、生体データの計測時間と装着型端末４のＩＤも含んでいる。
【００２５】
図３に示すように、空調制御装置１は、生体データ取得部１３、環境データ取得部１４、ＩＤデータ取得部１５及び空調制御部１６を備えている。上述したように、空調制御装置１は送受信機１２を介して温湿度センサ９、入退出管理装置３及び装着型端末４と通信を行い、それぞれから温度及び湿度の環境データ、各装着型端末４のＩＤ及び所在エリア情報並びに生体データを取得する。
【００２６】
生体データ取得部１３は、各装着型端末４から送信される生体データを収集して計測時間毎にまとめる。図６に示すように、生体データは、計測時間毎にまとめられ、各装着型端末４のＩＤと、その端末を装着した利用者の体温及び発汗量を含むものとなっている。
【００２７】
装着型端末４は、常に全て利用者に装着されているとも限らず、また、利用者のいる位置によって、空調制御装置１との通信が良好でない場合もある。そこで、例えば、ある計測時間におけるデータを収集する際に、最初の装着型端末４のデータを取得してから所定時間経過したところで、全ての装着型端末４のデータの収集を完了していなくても、データの作成を終了するようにしても良い。
【００２８】
環境データ取得部１４は、施設Ｆ内に設置された温湿度センサ９が計測した施設Ｆ内の湿度及び温度を、環境データとして取得する。温湿度センサ９は、施設Ｆ内に一つだけ設置しても良いし、あるいはエリアＡ〜Ｄごとに個別に設置しても良い。ここでは、各エリアＡ〜Ｄに温湿度センサ９を設置する場合を説明する。温湿度センサ９の計測は、定期的に、例えば装着型端末４における生体データの計測と同じタイミングに行うようにしても良い。図７に示すように、環境データは、計測時間毎にまとめられ、エリア名Ａ〜ＤとそのエリアＡ〜Ｄにおける温度及び湿度を含んでいる。
【００２９】
ＩＤデータ取得部１５は、入退出管理装置３から送信された各装着型端末４のＩＤ及び所在エリア情報をＩＤデータとして取得する。
【００３０】
空調制御部は、生体データ取得部１３、環境データ取得部１４及びＩＤデータ取得部１５のそれぞれで取得したデータに基づいて、施設Ｆ内に居る利用者の快適度を示す快適指数値を導き出し、さらに快適指数値に基づいて、空調機ユニット２ａ〜２ｄの制御パラメータを決定する。図８は、空調制御部１６の構成を示すブロック図である。空調制御部１６は、記憶部１７、快適指数値算出部１８及び制御パラメータ算出部１９を備える。記憶部１７には、生体データ取得部１３、環境データ取得部１４及びＩＤデータ取得部１５で取得された生体データ、環境データ及びＩＤデータが記憶される。記憶部１７には他にも、快適指数値及び制御パラメータの算出に必要なデータや計算式が記憶されている。
【００３１】
快適指数値算出部１８は、記憶部１７に保存された生体データ及び環境データに基づいて、各装着型端末４を装着した利用者の快適指数値を算出する。快適指数値とは、利用者が置かれた環境に対して感じる快適度の指標であり、制御パラメータを決定するために必要なものである。快適指数値として、公知の様々なものを用いることができる。ここでは、一例として、ＩＳＯ７７３０に規定されるＰＭＶ（Predicted Mean Vote：予測温冷感申告）値を用いる。
【００３２】
ＰＭＶ値は、快適度を７段階（＋３；暑い，＋２；暖かい，＋１；やや暖かい，０；どちらでもない、快適，−１；やや涼しい，−２；涼しい，−３；寒い）で表現したものである。よって、このＰＭＶこの値が０の時が快適となる。
【００３３】
ＰＭＶ値はＦａｎｇｅｒ氏が考案した熱収支方程式から算出され、この熱収支方程式は、環境側の要素として室内の空気温度と空気湿度と放射温度及び気流速度、並びに利用者側の要素として代謝量と着衣量からなる６つの温熱要素を用いて表現される。
【００３４】
ＰＭＶ値は、温熱環境に対して不快に感じる者の割合を示すＰＰＤ（Predicted Percentage of Dissatisfied：予測不快者率）と関連付けられ、例えばＰＭＶ値＝０では、その環境に居る９５％の人が快適と感じ、ＰＭＶ値＝±０．５では、９０%の人が快適となるように関連付けられている。
【００３５】
環境側の要素のうち、空気温度及び空気湿度については、施設Ｆ内で温湿度センサ９から計測した環境データを用いる。放射温度については、計測した温度や予め記憶した施設Ｆ内環境のデータに基づいて、所定のアルゴリズムを用いて算出しても良い。あるいは、予め算出した推定値を用いても良い。気流速度については、空調機ユニット２ａ〜２ｄにおいて設定されている運転風量に基づいて、所定のアルゴリズムを用いて算出しても良い。もちろん、放射温度及び気流速度についても、所定のセンサを設置して計測しても良い。
【００３６】
着衣量は、季節や天候に応じて予め算出した予測値を用いても良い。代謝量は、各装着型端末４で計測された生体データ、すなわち利用者の体温及び発汗量から、例えば所定のアルゴリズムを使うことによって導き出すことができる。快適指数値算出部１８は、まず、ＩＤデータに含まれている各ＩＤの所在エリア情報に基づいて、各ＩＤの生体データをエリアＡ〜Ｄごとに分類する。そして、生体データの体温及び発汗量からエリアＡ〜Ｄごとに利用者の代謝量を算出する。代謝量は利用者によって異なるため、算出した代謝量は、図９に示すように偏りのある分布を生じる。
【００３７】
最終的にＰＭＶ値の算出に用いる代謝量については、種々の条件において適宜決定することができる。例えば、そのエリアＡ〜Ｄの利用者の代謝量の平均値、中央値、分散値又は最頻値としても良い。あるいは、そのエリアＡ〜Ｄに所在する利用者の総数をカウントし、その総数に対して、例えば３０％以上という一定の割合を占める範囲の代謝量を抽出し、さらにそこから平均値を求めても良い。
【００３８】
快適指数値算出部１８は、最終的に算出された代謝量と環境データを用いて、ＰＭＶ値を算出する。なお、環境データもエリアＡ〜Ｄごとに計測している場合には、エリアＡ〜Ｄごとの環境データを用いる。
【００３９】
制御パラメータ算出部１９は、快適指数値算出部１８で算出されたＰＭＶ値に基づいて制御パラメータを決定する。制御パラメータは、空調機ユニット２ａ〜２ｄの設定温度、設定風量及び設定湿度等の運転条件を決めるためのパラメータである。例えば、±０．５の範囲内が理想ＰＭＶ値であると定めた場合に、算出したＰＭＶ値が理想ＰＭＶ値から外れている場合には、エネルギー効率を考慮しつつ、理想ＰＭＶ値に近づくように制御パラメータを決定する。例えば、ＰＭＶ値が−１．５であれば、利用者が寒いと感じている可能性があるため、±０．５の範囲内に入るように、設定温度又は設定湿度を上げたり、設定風量を弱めたりするように制御パラメータを算出する。また、例えば、ＰＭＶ値が＋１．５であれば、利用者が暑いと感じている可能性があるため、±０．５の範囲内に入るように、設定温度又は設定湿度を下げたり、設定風量を強めたりするように制御パラメータを算出する。
【００４０】
空調制御部１６は、算出した制御パラメータを送受信機１２を介して各エリアＡ〜Ｄの空調機ユニット２ａ〜２ｄに送信する。各エリアＡ〜Ｄの空調機ユニット２ａ〜２ｄは受信した制御パラメータに従って、空調機の運転を行う。
【００４１】
以上のように、本実施形態の空調制御装置１は、環境データ取得部１４と、生体データ取得部１３と、空調制御部１６を備える。環境データ取得部１４は、施設Ｆ内に設置した温湿度センサ９から、施設Ｆの環境に関する計測データである環境データを取得する。生体データ取得部１３は、施設Ｆの利用者の身体に装着した装着型端末４から、当該利用者の生体反応に関する計測データである生体データを取得する。空調制御部１６は、環境データと生体データに基づいて、施設Ｆに設置された空調機ユニット２ａ〜２ｄを制御する。
【００４２】
本実施形態の空調制御装置１は、ユーザの身体から直接的に生体反応に関するデータを得ることによって、利用者の快適度を正確に把握することが可能であり、快適性を向上させた空調制御装置１を提供することができる。また、利用者の身体に装着した端末装置から生体反応に関するデータを取得するため、利用者に対してカメラのように「監視されている」というプライバシー上の不安を与えるおそれを低減することができる。
【００４３】
空調制御部１６は、施設Ｆの環境に関する計測データである環境データと利用者の生体反応に関する計測データである生体データから導き出される快適指数値に基づいて、空調機ユニット２ａ〜２ｄの制御パラメータを決定しても良い。環境データと生体データとの双方を用いて制御パラメータの決定に必要な快適指数値を導き出すことで、個々の利用者の状態に沿って柔軟に空調制御が可能となり、高い利便性を提供することができる。
【００４４】
空調制御部１６は、利用者の体温及び発汗量に基づいて快適指数値を決定しても良い。同じ環境条件下でも、体質や活動状況によって暑さ又は寒さの感じ方が異なる。利用者の体温及び発汗量は、利用者の生体反応を直接的に示すものであり、体質及び活動状況を把握するのに信頼性が高い。これらのデータを用いて快適指数値を決定することで、個々の利用者の体質や活動状況に沿って柔軟に空調制御を行うことが可能となり、高い利便性と快適性を提供することができる。
【００４５】
空調制御部１６は、体温及び発汗量から導き出される代謝量に基づいて快適指数値を決定しても良い。利用者の代謝量を把握できれば、快適指数値として例えばＰＭＶ値を算出することが可能であり、利用者の体質や活動状況に的確に対応した空調制御を行うことができる。
【００４６】
生体データ取得部１３は、複数の装着型端末４から、それぞれの装着型端末４を装着した複数の利用者の生体データを取得しても良い。空調制御部１６は、複数の利用者の生体データの平均値、平均値、中央値、分散値又は最頻値に基づいて快適指数値を決定しても良い。あるいは、複数の利用者の生体データのうち、複数の利用者の総数に対して一定の割合を占める範囲のデータを用いて快適指数値を算出しても良い。施設Ｆ内に複数の利用者が居る場合に、なるべく多くの人が快適に感じるように空調制御を行うことができる。
【００４７】
装着型端末４には識別子であるＩＤが付与されている。生体データには、利用者が装着した装着型端末４のＩＤが含まれる。施設Ｆは複数のエリアＡ〜Ｄを備えており、各エリアＡ〜Ｄの入口には、装着型端末４のＩＤを認識して利用者の各エリアＡ〜Ｄへの入退出を管理する入退出管理装置３が設けられている。空調制御装置１は、識別子データ取得部であるＩＤデータ取得部１５を更に備えている。ＩＤデータ取得部１５は、入退出管理装置３から各装着型端末４のＩＤと所在エリア情報を含むＩＤデータを取得する。空調制御部１６は、生体データに含まれる装着型端末４のＩＤと、ＩＤデータに含まれる装着型端末４のＩＤとを照合して、エリアＡ〜Ｄごとに利用者の快適指数値を決定する。
【００４８】
オフィスや工場等の複数のエリアＡ〜Ｄを備えた施設Ｆは、各エリアＡ〜Ｄへの利用者の入退出を入退出管理装置３で管理していることがある。各エリアＡ〜Ｄへの入退出許可証を、利用者の身体に装着する装着型端末４とすることで、利用者から生体データを取得することが容易となり、また空調制御装置１特有の計測装置を準備する必要がないため、コスト削減が可能である。また、入退出管理装置３から利用者の所在エリア情報を取得することができ、エリアＡ〜Ｄごとの利用者状況に応じて柔軟に空調制御を行うことができ、高い利便性を提供することができる。
【００４９】
本発明のいくつかの複数の実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００５０】
上述の実施形態では、装着型端末４の形状は、持ち運びや取り回しのしやすさを考慮して腕時計型のものを使用したが、生体反応を計測するためのセンサを利用者の身体に接触させることができるものであれば、どのような形状でも良い。例えば、施設Ｆが工場等の場合には、安全帽、ヘルメット、保護メガネ又はゴーグル等の形状にしてもよい。これらの形状の場合には、センサを利用者の額やこめかみに接触するように設置すると良い。保護メガネ又はゴーグルの場合は、鼻梁の部分にセンサを接触させてもよい。
【００５１】
上述の実施形態では、利用者の生体反応を計測するセンサとして、体温センサ４４および発汗量センサ４５を用いたが、これに限られない。例えば、脈拍センサ、血圧センサ、歩数計等のセンサを用いても良い。
【００５２】
上述の実施形態では、利用者の入場及び退出の両方において入退出管理装置３はＩＤ照合を行う場合を説明したが、退出の際はＩＤ照合を行わずに利用者が自由に退出できるようにしてもよい。その場合は、電気錠を、ドアをエリアＡ〜Ｄ内部から開く場合には自動的に開錠するように設定すると良い。また、入退出管理装置３は、利用者がエリアＡ〜Ｄ退出後に別のエリアＡ〜Ｄに入場して、電気錠制御装置から開錠通知を受信したときに、ＩＤリストＬＩの所在エリア情報から元のエリア名Ａ〜Ｄを削除して、新たに入場したエリア名Ａ〜Ｄを書き込むようにすると良い。
【００５３】
上述の実施形態では、ＩＤ管理部３１の保持するＩＤリストＬＩに所在エリア情報が書き込んでいたが、装着型端末４にも所在エリア情報の書き込んでも良い。この場合は、電気錠制御装置は電気錠の開錠を行うと同時に、装着型端末４に対してメモリに格納されているエリア名Ａ〜Ｄを送信すると良い。装着型端末４は、受信したエリア名Ａ〜Ｄを所在エリア情報としてメモリに記憶すると良い。装着型端末４から空調制御装置１の生体データ取得部１３に生体データを送る際に、生体データに所在エリア情報を含めると良い。空調制御部１６は、生体データに含まれる装着型端末４のＩＤと所在エリア情報に基づいて、エリアごとＡ〜Ｄごとに利用者の快適指数値を決定することができる。この場合は、空調制御装置１のＩＤデータ取得部１５を省略しても良く、また入退出管理装置３との通信も行わなくても良い。
【００５４】
また、利用者の生体データを計測する装着型端末４は、必ずしも入退出管理装置３の入退出許可証としての機能を兼ね備えなくても良い。例えば、施設Ｆが一つのエリアＡ〜Ｄのみを備えている場合には、空調制御に所在エリア情報は不要となる。そのため、空調制御装置１からＩＤデータ取得部１５を省略することもできる。また、空調制御装置１は、入退出管理装置３と通信を行わなくても良い。そのような一つのエリアＡ〜Ｄとしては、例えば、多くの人を収容するイベント会場が考えられる。この場合、利用者の生体データを計測するセンサは、例えば、イヤホンガイドのような利用者にイベント内容を説明するための端末に取り付けても良い。利用者の頭部に装着するイヤホン又はヘッドホン部分にセンサを取り付けることで、生体データを計測することができる。
【００５５】
また、複数のエリアＡ〜Ｄを有する施設Ｆであっても、入退出管理装置３と必ずしも組み合わせなくても良い。例えば、装着型端末４に加速度センサ等を取り付けることで所在エリアＡ〜Ｄを把握できるようにしても良い。
【００５６】
上述の実施形態では、空調制御装置１の生体データ取得部１３、環境データ取得部１４、ＩＤデータ取得部１５及び空調制御部１６を構成するプロセッサ１０、メモリ１１及び送受信機１２が共通の場合を説明したが、全部あるいは一部を別のプロセッサ、メモリ及び送受信機で構成しても良い。また、施設Ｆの大きさや装着型端末４の出力信号の強度等の条件に応じて、空調制御装置１の全部あるいは一部を入退出管理装置３と一体化して、共通のプロセッサ、メモリ及び送受信機から構成するようにしても良い。
【符号の説明】
【００５７】
１  空調制御装置
１０  プロセッサ
１１  メモリ
１２  送受信機
１３  生体データ取得部
１４  環境データ取得部
１５  ＩＤデータ取得部
１６  空調制御部
１７  記憶部
１８  快適指数値算出部
１９  制御パラメータ算出部
２ａ〜２ｄ  空調機ユニット
３  入退出管理装置
３１  ＩＤ管理部
３２  電気錠制御部
３３  プロセッサ
３４  送受信機
３５  メモリ
３６  プロセッサ
３７  送受信機
３８  メモリ
３９  電気錠ドライブ回路
４  装着型端末
４１  プロセッサ
４２  送受信機
４３  メモリ
４４  体温センサ
４５  発汗量センサ
５  リストバンド
９  温湿度センサ
Ｒ  受付
ＬＩ  ＩＤリスト
Ｆ  施設
Ａ〜Ｄ  エリア
【図１】
2016217583.tif 000003
【図２】
2016217583.tif 000004
【図３】
2016217583.tif 000005
【図４】
2016217583.tif 000006
【図５】
2016217583.tif 000007
【図６】
2016217583.tif 000008
【図７】
2016217583.tif 000009
【図８】
2016217583.tif 000010
【図９】
2016217583.tif 000011